(57)【要約】      （修正有）【課題】伝統的に付与力の不均一により数値誤差をもたらす状況を回避することができる高圧計構造を提供する。【解決手段】弓形枠体１を備え、その下方にカップ型ホルダ２が組み付けられ、それらの間に膜片３が結合され、膜片上に筒座４が当接され、筒座上に指針セット５が組み付けられ、筒座下に螺着具６が組み付けられ、カップ型ホルダの底部にねじスタッド７が設けられ、押出棒８が貫通設置され、押出棒が螺着具下に当接され、膜片下と螺着具の凸縁６１との間に中心円盤９が設けられる。膜片との接触面積が増大することで付与力が均一に分散し、実施時、計測圧力で押出棒を押圧動作させると、当接する螺着具が上向きに偏位して中心円盤が膜片を推進送りする。付与力が均衡することで計測数値が安定化する。【選択図】図２
0003222928.tif 000002
【実用新案登録請求の範囲】
【請求項１】
弓形枠体を備える高圧計構造であって、
前記弓形枠体の下方にカップ型ホルダが組み付けられ、かつ前記弓形枠体と前記カップ型ホルダとの間に膜片が結合され、また前記膜片上に筒座が当接されると共に、前記筒座上に指針セットが組み付けられ、前記筒座下に螺着具が組み付けられ、前記カップ型ホルダの底部にねじスタッドが設けられると共に、押出棒が貫通設置され、また前記押出棒の先端が前記螺着具下に当接され、また前記ねじスタッドの押出棒が通路内に貫通されており、その押出棒の頂端縁と接触する間に密封リングが設けられ、
前記膜片下と前記螺着具の凸縁との間に中心円盤が設けられ、前記押出棒が螺着具に作用するとき、螺着具により、中心円盤を膜片を上向きに押圧動作させるように連動させると共に、中心円盤により付与力を膜片上に均一に分散させ、また前記押出棒の棒身の一箇所に、螺着具とねじスタッドとの間のカップ型ホルダ内に位置するＣ形留め金が設けられ、押出棒への圧力が失われた後、押出棒は、指針セットの反作用力で偏位を生じると、前記Ｃ形留め金がねじスタッド上に当接されることで、押出棒の脱落紛失を回避させることを特徴とする、高圧計構造。
【請求項２】
前記ねじスタッドが通路内に貫通されており、その押出棒の頂端縁と接触する間に設けられた密封リング下にバックアップリングが添設されることを特徴とする、請求項１に記載の高圧計構造。
【請求項３】
前記中心円盤は、膜片の寸法と材質に応じて適当な大きさに調整されることを特徴とする、請求項１に記載の高圧計構造。
【請求項４】
前記中心円盤は、膜片の形態に応じて外形相当に設計されることを特徴とする、請求項１に記載の高圧計構造。
【考案の詳細な説明】
【技術分野】
【０００１】
本考案は、高圧計構造に係り、特に、付与力を均衡させる膜片の推進送りによって安定した数値を生成する計測体に用いられる高圧計構造に関するものである。
【背景技術】
【０００２】
一般市販の圧力計構造は、通常、計測対象の圧力値を測定して、製造工程中の圧力の重要なパラメータを得るために用いられるものである。
【０００３】
図１に示すように、弓形枠体１０のその下方にカップ型ホルダ２０が組み付けられ、かつそれらの間に膜片３０が結合され、またその膜片３０上に筒座４０が当接されると共に、筒座４０上に指針セット５０が組み付けられ、その筒座４０下に螺着具６０が組み付けられ、前記カップ型ホルダ２０の底部にねじスタッド７０が設けられると共に、押出棒８０が貫通設置され、前記押出棒８０が螺着具６０下に当接され、またねじスタッド７０の押出棒８０が通路内に貫通されていることにより、計測圧力で押出棒８０を押圧動作させるとき、当接する螺着具６０を上向きに偏位することとなり、それによって膜片３０を上向きに推進送りすることで、指針セット５０を介して計測数値を表示させて、計測対象の圧力パラメータが得られる。
【考案の概要】
【考案が解決しようとする課題】
【０００４】
上記従来技術における圧力計装置の技術としては、膜片の推進送り計測の面にて具備する基本機能要求を達成できるものの、使用時に高圧計測の推進送りに起因する膜片への付与力の不均一が存在し、それによって計測の精度落ちをもたらしてしまうことがある。一方、押出棒への計測圧力が失われるとき、通路内に任意に摺動可能となり、使用が終えた直後、即時に収納しないと、落としがちであり、紛失しがちとなり、この状況では、使用者により多様な選択肢を提供できるように、実に具体的な産業効果を提出する必要がある。
【０００５】
本考案は、膜片下に円盤が当接されることにより、最適な付与力面積による推進送りが実施され、正確計測の目的を達成する高圧計構造を提供することを主な目的とする。
【０００６】
本考案は、押出棒が圧力計内の作用段に留まることにより、Ｃ形留め金の組み付けが実施され、押出棒の脱落防止の目的を達成する高圧計構造を提供することを第２目的とする。
【０００７】
本考案は、ねじスタッドの押出棒が通路内に貫通されていることにより、密封リング内へのバックアップリングの添設が実施され、密封強化の目的を達成する高圧計構造を提供することを第３目的とする。
【課題を解決するための手段】
【０００８】
本考案は、上記目的を達成するために、具体的に採用した技術手段と技術方案については以下の通りである。
【０００９】
正確計測の目的を達成するために、本考案は、弓形枠体のその下方にカップ型ホルダが組み付けられ、かつそれらの間に膜片が結合され、またその膜片上に筒座が当接されると共に、筒座上に指針セットが組み付けられ、その筒座下に螺着具が組み付けられ、前記カップ型ホルダの底部にねじスタッドが設けられると共に、押出棒が貫通設置され、また前記押出棒の先端が螺着具下に当接され、またねじスタッドの押出棒が通路内に貫通されており、その押出棒の頂端縁と接触する間に密封リングが設けられることにより、その改良は、前記膜片下と螺着具の凸縁との間に中心円盤が設けられ、かつ膜片との接触する面積は、付与力を均一に分散させることができるものが最適であることにある。
【００１０】
押出棒の脱落防止の目的を達成するために、前記押出棒の棒身の一箇所に、螺着具とねじスタッドとの間に位置するＣ形留め金が設けられる。
【００１１】
密封強化の目的を達成するために、前記ねじスタッドが通路内に貫通されており、その押出棒の頂端縁と接触する間に設けられた密封リング下にバックアップリングが添設される。
【考案の効果】
【００１２】
上記を総合すると、本考案の高圧計構造は、中心円盤を利用して付与力を膜片に均一に分散させることで、正確で安定した計測が達成でき、また押出棒のＣ形留め金の設計により、脱落紛失による不便を回避することができ、実用性の面でも相当程度の向上を図ることができる。
【図面の簡単な説明】
【００１３】
【図１】従来技術の全体構造の正面断面図である。
【図２】本考案の全体構造の正面断面図である。
【図３】本考案の実施作動の正面断面図である。
【考案を実施するための形態】
【００１４】
図２に示すように、本考案に係る高圧計構造は、弓形枠体１を備え、その下方にカップ型ホルダ２が組み付けられ、かつそれらの間に膜片３が結合され、またその膜片３上に筒座４が当接されると共に、筒座４上に指針セット５が組み付けられ、その筒座４下に螺着具６が組み付けられ、前記カップ型ホルダ２の底部にねじスタッド７が設けられると共に、押出棒８が貫通設置され、また前記押出棒８の先端が螺着具６下に当接され、またねじスタッド７の押出棒８が通路７１内に貫通されており、その押出棒８の頂端縁８２と接触する間に密封リング７２が設けられ、その特徴は、前記膜片３下と前記螺着具６の凸縁６１との間に中心円盤９が設けられ、押出棒８が螺着具６に作用するとき、螺着具６により、中心円盤９を膜片３を上向きに押圧動作させるように連動させると共に、中心円盤９により付与力を膜片３上に均一に分散させることにある。
前記押出棒８の棒身の一箇所に、螺着具６とねじスタッド７との間のカップ型ホルダ２内に位置するＣ形留め金８１が設けられ、押出棒８への圧力が失われた後、押出棒８は、任意に偏位を生じることができ、前記Ｃ形留め金８１がねじスタッド７上に当接することができることにより、押出棒８の脱落紛失を回避させる。
【００１５】
前記中心円盤９は、膜片３の寸法と材質に応じて適当な大きさに調整される。
【００１６】
前記中心円盤９は、膜片３の形態に応じて外形相当に設計される。
【００１７】
前記ねじスタッド７が貫通する通路７１内に、その押出棒８の頂端縁８２と接触する間に設けられた密封リング７２下にバックアップリング７３が添設される。
【００１８】
図３に示すように、実施時、計測しようとする被測定物をねじスタッド７上に据え付け、被測定物でねじスタッド７の通路７１内の押出棒８を押圧動作させて螺着具６に作用させるようにし、また螺着具６の凸縁６１には押出棒８の上向きの押圧力を受けることで、中心円盤９を膜片３を上向きに推進送りするように連動させ、前記膜片３への中心円盤９の大面積の付与力で指針セット５に対して有効で平穏に作用することができ、正確で安定した計測パラメータを求めることができ、また中心円盤９は、必要に応じて大きい寸法または小さい寸法にして組立てもよく、膜片３と外形相当する形態（例えば、波状）にして装着してもよく、いずれにせよ、材質や需要に合わせて変化させて使用することができる。計測過程において、被測定物が押出棒８に作用するとき、ねじスタッド７の通路７１内に押出棒８の頂端縁８２と接触する間に設けられた密封リング７２は、被測定物が計器内の部品に直接接触して正確度に影響するのを回避することができ、この効果を強化させながら、使用寿命を延長するために、ねじスタッド７の通路７１内に密封リング７２との間にバックアップリング７３が添設されることで、その密封効果を強化させることができる。
【００１９】
計測終了後、ねじスタッド７上から被測定物を取り外し、この時、押出棒８が圧力による推進送りが失われると、それによって螺着具６に対する押し付けが解除されることで、指針セット５を初期状態に復帰させ、また押出棒８の圧力バランスが失われるか、持ち取り過程においてぶつかりが起きるかのいずれかによっても押出棒８をねじスタッド７内に任意に偏位させることができることになり、押出棒８を外向きに所定距離押し出した後、カップ型ホルダ２内におけるＣ形留め金８１は、ねじスタッド７の頂面上に当接されることで、押出棒８を継続的に外向きへの推進送りが停止すれば、押出棒８の持ち取り過程における不意の紛失により引き起こされる使用上の不便を回避することができる。
【００２０】
上記を総合すると、本考案の高圧計構造は、中心円盤を利用して付与力を膜片に均一に分散させることで、正確で安定した計測が達成でき、また押出棒のＣ形留め金の設計により、脱落紛失による不便を回避することができ、実用性の面でも相当程度の向上を図ることができる。
【符号の説明】
【００２１】
従来技術
１０    弓形枠体
２０    カップ型ホルダ
３０    膜片
４０    筒座
５０    指針セット
６０    螺着具
７０    ねじスタッド
８０    押出棒
本考案
１    弓形枠体
２    カップ型ホルダ
３    膜片
４    筒座
５    指針セット
６    螺着具
６１    凸縁
７    ねじスタッド
７１    通路
７２    密封リング
７３    バックアップリング
８    押出棒
８１    Ｃ形留め金
８２    頂端縁
９    中心円盤
【図１】
0003222928.tif 000003
【図２】
0003222928.tif 000004
【図３】
0003222928.tif 000005